(57)【要約】      （修正有）【課題】巻線の巻始めと巻終りとが近付いて密着しないようにして寄生容量の発生を抑え、待機軽負荷時の効率が低下するのを防止するトランスの巻線構造を提供する。【解決手段】ボビン１１ａの外周部に巻回された内側第１巻線Ｎｐ１および外側第１巻線Ｎｐ２と、内側第１巻線Ｎｐ１および外側第１巻線Ｎｐ２の間に巻回された第２巻線Ｎｓ１とを備えたトランス１０ａの巻線構造において、内側第１巻線Ｎｐ１の一端部線Ｎｐ１ａおよび内側第１巻線線Ｎｐ１より径方向外側に巻回され、且つ、ボビン１１ａの長手方向の一端部１４ａと他端部１５ａとの間に巻回された外側第１巻線線Ｎｐ２の一端部線Ｎｐ２ａが、ボビン１１ａの一端部１４ａから外方に引き出され、内側第１巻線線Ｎｐ１の他端部線Ｎｐ１ｂおよび内側第１巻線線Ｎｐ１の他端部線Ｎｐ１ｂに接続された外側第１巻線線Ｎｐ２の他端部線Ｎｐ２ｂが、ボビン１１ａの他端部１５ａから外方に引き出される。【選択図】図２
2019175979.tif 000002
【特許請求の範囲】
【請求項１】
ボビンと、前記ボビンの外周部に巻回された内側第１巻線および外側第１巻線と、前記内側第１巻線および前記外側第１巻線の間に巻回された第２巻線とを備えたトランスの巻線構造において、
前記ボビンの長手方向の一端部と他端部との間に巻回された前記内側第１巻線の一端部、および前記内側第１巻線より径方向外側に巻回され且つ前記ボビンの長手方向の一端部と他端部との間に巻回された前記外側第１巻線の一端部が、前記ボビンの一端部から外方に引き出され、
前記内側第１巻線の他端部、および前記内側第１巻線の他端部に接続された前記外側第１巻線の他端部が、前記ボビンの他端部から外方に引き出されたことを特徴とするトランスの巻線構造。
【請求項２】
前記内側第１巻線の他端部と前記外側第１巻線の他端部とが接続された接続部が、絶縁部材に被覆され、前記外側第１巻線の外側に折り返されたことを特徴とする請求項１に記載のトランスの巻線構造。
【請求項３】
前記ボビンの長手方向の一端部と他端部との間に巻回された前記第２巻線の一端部が、前記ボビンの一端部から外方に引き出され、前記第２巻線の他端部が、前記ボビンの他端部から外方に引き出されたことを特徴とする請求項１又は２に記載のトランスの巻線構造。
【請求項４】
前記第２巻線が、内側第２巻線と、前記内側第２巻線に接続して前記内側第２巻線より径方向外方に巻回された外側第２巻線とを有し、
前記内側第２巻線の一端部と前記外側第２巻線の一端部が前記ボビンの一端部から外方に引き出され、前記内側第２巻線の他端部と前記外側第２巻線の他端部が前記ボビンの他端部から外方に引き出され、
前記ボビンの径方向内側から径方向外側に向かって順に、前記内側第２巻線、前記内側第１巻線、前記外側第２巻線、前記外側第１巻線が巻回されたことを特徴とする請求項１から３のいずれか１項に記載のトランスの巻線構造。
【請求項５】
前記第１巻線が入力側の一次巻線であり、前記第２巻線が出力側の二次巻線であることを特徴とする請求項１から４のいずれか１項に記載のトランスの巻線構造。
【請求項６】
前記ボビンの長手方向の一端部と他端部との間に巻回された内側第３巻線と、前記内側第３巻線より径方向外方で前記ボビンの長手方向の一端部と他端部との間に巻回された外側第３巻線とを備え、
前記内側第３巻線の一端部、および前記外側第３巻線の一端部が、前記ボビンの一端部から外方に引き出され、
前記内側第３巻線の他端部、および前記内側第３巻線の他端部に接続する前記外側第３巻線の他端部が、前記ボビンの他端部から外方に引き出され、
前記ボビンの径方向内側から径方向外側に向かって順に巻回された前記内側第１巻線と前記内側第３巻線の間、前記内側第３巻線と前記外側第１巻線の間、前記外側第１巻線と前記外側第３巻線の間それぞれに前記第２巻線が巻回されたことを特徴とする請求項１又は２に記載のトランスの巻線構造。
【発明の詳細な説明】
【技術分野】
【０００１】
本発明は、ボビンと、ボビンに巻回された一次巻線および二次巻線とを備えたトランスの巻線構造に関する。
【背景技術】
【０００２】
従来、例えば特許文献１では、一次巻線と二次巻線との結合度を上げるために、一方の巻線を二分割し、その間に他方の巻線を挟むサンドイッチ巻構造が採用されている。
【０００３】
このような構造を採用したトランス１００では、例えば図９および図１０に示すように、ボビン１０１の径方向内側から径方向外側に向かって順に、二次巻線Ｎｓ１，一次巻線Ｎｐ１，二次巻線Ｎｓ２，一次巻線Ｎｐ２，二次巻線Ｎｓ３が巻回されている。これらの巻線をボビン１０１に巻回するとき、一次巻線Ｎｐ１，Ｎｐ２はそれぞれ、ボビン１０１の下端部１０１ａから上端部１０１ｂに向かって巻始められ、ボビン１０１の上端部１０１ｂ近くまで巻き回されて折り返された後、ボビン１１の下端部１０１ａから引き出されることがある（図１１（Ｂ）および図１１（Ｄ）参照）。また二次巻線Ｎｓ１，Ｎｓ２，Ｎｓ３も同様、ボビン１０１の下端部１０１ａから上端部１０１ｂに向かって巻始められ、ボビン１０１の上端部１０１ｂ近くまで巻き回されて折り返された後、ボビン１０１の下端部１０１ａから引き出されることがある（図１１（Ａ），図１１（Ｃ）および図１１（Ｅ）参照）。
【先行技術文献】
【特許文献】
【０００４】
【特許文献１】特開２００８−１５９９６３号公報
【発明の概要】
【発明が解決しようとする課題】
【０００５】
しかし上述したトランスでは、各巻線のそれぞれにおいて、ボビンに巻き回されている部分と上端部の近くから下方に折り返された部分とが密着し、巻始めと巻終わりとが、ボビンの同じ側すなわち下端部から引き出されるため、近づいて密着する。このため、巻始めと巻終わりとの間に発生する寄生容量によって寄生振動の発生や電力消費が生じ、待機軽負荷時の効率が低下するという問題がある。
【０００６】
そこで、この発明は上記のような課題を解決するためになされたもので、巻線の巻始めと巻終りとが近付いて密着しないようにして寄生容量の発生を抑え、待機軽負荷時の効率が低下するのを防止するトランスの巻線構造を提供することを目的とする。
【課題を解決するための手段】
【０００７】
本発明に係るトランスの巻線構造は、ボビンと、前記ボビンの外周部に巻回された内側第１巻線および外側第１巻線と、前記内側第１巻線および前記外側第１巻線の間に巻回された第２巻線とを備えたトランスの巻線構造において、前記ボビンの長手方向の一端部と他端部との間に巻回された前記内側第１巻線の一端部、および前記内側第１巻線より径方向外側に巻回され且つ前記ボビンの長手方向の一端部と他端部との間に巻回された前記外側第１巻線の一端部が、前記ボビンの一端部から外方に引き出され、前記内側第１巻線の他端部、および前記内側第１巻線の他端部に接続された前記外側第１巻線の他端部が、前記ボビンの他端部から外方に引き出されたことを特徴としている。
【０００８】
前記内側第１巻線の他端部と前記外側第１巻線の他端部とが接続された接続部が、絶縁部材に被覆され、前記外側第１巻線の外側に折り返されることが好ましい。これにより、絶縁部材に被覆された接続部が各巻線と密着するのを防ぎ、寄生容量の発生を抑えることができる。
【０００９】
前記ボビンの長手方向の一端部と他端部との間に巻回された前記第２巻線の一端部が、前記ボビンの一端部から外方に引き出され、前記第２巻線の他端部が、前記ボビンの他端部から外方に引き出されてもよい。
【００１０】
この発明では、第１巻線に加え、第２巻線の一端部がボビンの一端部から外方に引き出され、第２巻線の他端部が前記ボビンの他端部から外方に引き出されるので、より一層、寄生容量の発生を抑えることができる。
【００１１】
前記第２巻線が、内側第２巻線と、前記内側第２巻線に接続して前記内側第２巻線より径方向外方に巻回された外側第２巻線とを有し、前記内側第２巻線の一端部と前記外側第２巻線の一端部が前記ボビンの一端部から外方に引き出され、前記内側第２巻線の他端部と前記外側第２巻線の他端部が前記ボビンの他端部から外方に引き出され、前記ボビンの径方向内側から径方向外側に向かって順に、前記内側第２巻線、前記内側第１巻線、前記外側第２巻線、前記外側第１巻線が巻回されることが好ましい。
【００１２】
この発明では、第１巻線に加えて第２巻線をサンドイッチ構造とし、かつ内側第２巻線の一端部と外側第２巻線の一端部をボビンの一端部から外方に引き出し、内側第２巻線の他端部と外側第２巻線の他端部をボビンの他端部から外方に引き出した。これにより、各第２巻線の巻始めと巻終りとが近付いて密着しないようにして寄生容量の発生を抑え、待機軽負荷時の効率が低下するのを防止することができる。
【００１３】
前記第１巻線が入力側の一次巻線であり、前記第２巻線が出力側の二次巻線であっても良い。これにより、各巻線の巻始めと巻終りとが近付いて密着しないようにして寄生容量の発生を抑えつつ、サンドイッチ巻構造とすることにより一次巻線と二次巻線との間の密着面積を増やし、一次巻線と二次巻線との間の結合度を向上させることができる。
【００１４】
前記ボビンの長手方向の一端部と他端部との間に巻回された内側第３巻線と、前記内側第３巻線より径方向外方で前記ボビンの長手方向の一端部と他端部との間に巻回された外側第３巻線とを備え、前記内側第３巻線の一端部、および前記外側第３巻線の一端部が、前記ボビンの一端部から外方に引き出され、前記内側第３巻線の他端部、および前記内側第３巻線の他端部に接続する前記外側第３巻線の他端部が、前記ボビンの他端部から外方に引き出され、前記ボビンの径方向内側から径方向外側に向かって順に巻回された前記内側第１巻線と前記内側第３巻線の間、前記内側第３巻線と前記外側第１巻線の間、前記外側第１巻線と前記外側第３巻線の間それぞれに前記第２巻線が巻回されることが好ましい。
【００１５】
この発明では、内側第１巻線と内側第３巻線の間、内側第３巻線と外側第１巻線の間、外側第１巻線と外側第３巻線の間それぞれの間に第２巻線を巻回することで、第１巻線と第３巻線とをサンドイッチ構造にすることができる。また、内側第３巻線の一端部、および外側第３巻線の一端部が、ボビンの一端部から外方に引き出され、内側第３巻線の他端部、および内側第３巻線の他端部に接続する外側第３巻線の他端部が、ボビンの他端部から外方に引き出される。したがって、サンドイッチ巻構造を維持したまま、各第３巻線の巻始めと巻終りとが近付いて密着しないようにして寄生容量の発生を抑え、待機軽負荷時の効率が低下するのを防止することができる。
【発明の効果】
【００１６】
本発明では、内側第１巻線と外側第１巻線との間に第２巻線が巻回されることで、サンドイッチ巻構造とすることができる。また、内側第１巻線の一端部および外側第１巻線の一端部がボビンの一端部から引き出され、かつ内側第１巻線の他端部および外側第１巻線の他端部が接続された状態でボビンの他端部から外方に引き出されている。これにより、サンドイッチ巻構造を維持したまま、各第１巻線の巻始めと巻終りとが近付いて密着しないようにして寄生容量の発生を抑え、待機軽負荷時の効率が低下するのを防止することができる。ボビンの一端部から外方に引き出された内側第１巻線の一端部と外側第１巻線の一端部を直接、プリント基板に接続できる。これにより、プリント基板に平行に延びるボビンだけでなく、プリント基板に対して垂直に延びるボビンに対しても本発明を適用できる。
【図面の簡単な説明】
【００１７】
【図１】本発明の実施形態に係るトランスの斜視図である。
【図２】ボビンに巻回された第１実施形態に係る巻線構造を示す概略断面図である。
【図３】第２実施形態に係る巻線の概略回路図である。
【図４】ボビンに巻回された第２実施形態に係る巻線構造を示す概略断面図である。
【図５】（Ａ）から（Ｅ）は第２実施形態に係る巻線構造の巻き順を示す概略図である。
【図６】第３実施形態に係る巻線構造を示す概略断面図である。
【図７】第４実施形態に係る巻線構造を示す概略断面図である。
【図８】第５実施形態に係る巻線構造を示す概略断面図である。
【図９】従来の巻線の概略回路図である。
【図１０】従来の巻線構造を示す概略断面図である。
【図１１】（Ａ）から（Ｅ）は従来の巻線の巻き順を示す概略図である。
【発明を実施するための形態】
【００１８】
以下、本発明の実施形態を添付図面に従って説明する。
【００１９】
＜第１実施形態＞
図１および図２に示すように、本実施形態のトランス１０ａは、ボビン１１ａと、ボビン１１ａに巻回された第１巻線Ｎｐ１，Ｎｐ２および第２巻線Ｎｓ１とを備えている。
【００２０】
ボビン１１ａは、空洞１２が形成された円筒形状のボビン本体１３ａと、ボビン本体１３ａの下端部（一端部）１４ａおよび上端部（他端部）１５ａを形成する顎部とを有する枠体である。空洞１２には、フェライトコア等の磁性体が挿入される。ボビン本体１３ａの外周部には、第１巻線Ｎｐ１，Ｎｐ２と第２巻線Ｎｓ１とが巻回されている。
【００２１】
第１巻線Ｎｐ１，Ｎｐ２は入力側の一次巻線であり、ボビン１１ａの径方向内側に巻回された内側第１巻線である内側一次巻線Ｎｐ１と、内側一次巻線Ｎｐ１よりボビン１１ａの径方向外側に巻回された外側第１巻線である外側一次巻線Ｎｐ２とから構成されている。内側一次巻線Ｎｐ１と外側一次巻線Ｎｐ２とは、ボビン１１ａの長手方向すなわち下端部１４ａと上端部１５ａとの間に巻回されている。
【００２２】
内側一次巻線Ｎｐ１は、ボビン１１ａの下端部１４ａから上端部１５ａに向かってボビン本体１３ａの外周に巻回されている。これにより、内側一次巻線Ｎｐ１の巻始め（一端部）Ｎｐ１ａはボビン１１ａの下端部１４ａから外方に引き出され、内側一次巻線Ｎｐ１の巻終わり（他端部）Ｎｐ１ｂはボビン１１ａの上端部１５ａから外方に引き出されている。内側一次巻線Ｎｐ１は、外側一次巻線Ｎｐ２および二次巻線Ｎｓ１よりボビン１１ａの径方向内側に巻回されている。すなわち内側一次巻線Ｎｐ１は、トランス１０ａの巻線構造の中で最もボビン１１ａの径方向内側に巻回されている。
【００２３】
外側一次巻線Ｎｐ２は、ボビン１１ａの上端部１５ａから下端部１４ａに向かってボビン本体１３ａの外周に巻回されている。これにより、外側一次巻線Ｎｐ２の巻始め（他端部）Ｎｐ２ｂはボビン１１ａの上端部１５ａから外方に引き出され、外側一次巻線Ｎｐ２の巻終わり（一端部）Ｎｐ２ａはボビン１１ａの下端部１４ａから外方に引き出されている。外側一次巻線Ｎｐ２の巻始めＮｐ２ｂは、内側一次巻線Ｎｐ１の巻終わりＮｐ１ｂと半田付けによって接続されている。この接続部１６ａは樹脂製のチューブ（絶縁部材）１７ａに被覆され、外側一次巻線Ｎｐ２の外側に折り返されて配置されている。外側一次巻線Ｎｐ２は、内側一次巻線Ｎｐ１および二次巻線Ｎｓ１よりボビン１１ａの径方向外側に巻回されている。すなわち外側一次巻線Ｎｐ２は、トランス１０ａの巻線構造の中で最もボビン１１ａの径方向外側に巻回されている。
【００２４】
第２巻線Ｎｓ１は出力側の二次巻線であり、ボビン１１ａの長手方向すなわち下端部１４ａと上端部１５ａとの間に巻回されている。二次巻線Ｎｓ１は、ボビン１１ａの下端部１４ａから上端部１５ａに向かってボビン本体１３ａの外周に巻回され、ボビン１１ａの上端部１５ａ近傍で下方に折り返されている。これにより、二次巻線Ｎｓ１の巻始め（一端部）Ｎｓ１ａと巻終わり（他端部）Ｎｓ２ｂとは、ボビン１１ａの下端部１４ａから外方に引き出されている。二次巻線Ｎｓ１は、内側一次巻線Ｎｐ１と外側一次巻線Ｎｐ２との間に巻回されている。これにより、ボビン１１ａの径方向内側から径方向外側に向かって順に、内側一次巻線Ｎｐ１、二次巻線Ｎｓ１、外側一次巻線Ｎｐ２が巻回され、サンドイッチ巻構造を構成している。
【００２５】
[本実施形態のトランス１０ａの巻線構造の特徴]
本実施形態のトランス１０ａの巻線構造には以下の特徴がある。
【００２６】
内側一次巻線Ｎｐ１と外側一次巻線Ｎｐ２との間に二次巻線Ｎｓ１が巻回されることで、サンドイッチ巻構造とすることができる。また、内側一次巻線Ｎｐ１の巻始めＮｐ１ａおよび外側一次巻線Ｎｐ２の巻終わりＮｐ２ａがボビン１１ａの下端部１４ａから外方に引き出され、かつ内側一次巻線Ｎｐ１の巻終わりＮｐ１ｂおよび外側一次巻線Ｎｐ２の巻始めＮｐ２ｂがボビン１１ａの上端部１５ａから引き出されている。これにより、サンドイッチ巻構造を維持したまま、各一次巻線の巻始めと巻終りとが近付いて密着しないようにして寄生容量の発生を抑え、待機軽負荷時の効率が低下するのを防止することができる
【００２７】
接続部１６ａが樹脂製のチューブ１７ａに被覆され、外側一次巻線Ｎｐ２の外側に折り返されているので、接続部１６ａが各巻線と密着するのを防ぎ、寄生容量の発生を抑えることができる。
【００２８】
内側一次巻線Ｎｐ１と外側一次巻線Ｎｐ２のそれぞれにおいて巻始めと巻終りとが近付いて密着しないようにして寄生容量の発生を抑えつつ、サンドイッチ巻構造とすることにより一次巻線Ｎｐ１，Ｎｐ２と二次巻線Ｎｓ１との間の密着面積を増やし、一次巻線Ｎｐ１，Ｎｐ２と二次巻線Ｎｓ１との間の結合度を向上させることができる。
【００２９】
ボビン１１ａの下端部１４ａから外方に引き出された内側一次巻線Ｎｐ１の巻始めＮｐ１ａと外側一次巻線Ｎｐ２の巻終わりＮｐ２ａを直接、プリント基板に接続できる。これにより、プリント基板に平行に延びるボビンだけでなく、プリント基板に対して垂直に延びるボビンに対しても本発明を適用できる。
【００３０】
＜第２実施形態＞
次に、図３および図４を参照して第２実施形態に係るトランス１０ｂの巻線構造について説明する。なお、第１実施形態と同様の構成には同じ符号を付してその説明を適宜省略する。
【００３１】
内側一次巻線Ｎｐ１と外側一次巻線Ｎｐ２の巻線構造は、第１実施形態と同様であるので説明を省略する。第１実施形態の二次巻線Ｎｓ１は、内側一次巻線Ｎｐ１と外側一次巻線Ｎｐ２の間にのみ巻回された。これに対し第２実施形態の二次巻線は、内側一次巻線Ｎｐ１より径方向内側に巻回された内側二次巻線Ｎｓ２と、内側一次巻線Ｎｐ１と外側一次巻線Ｎｐ２の間に巻回された中間二次巻線Ｎｓ３と、外側一次巻線Ｎｐ２より径方向外側に巻回された外側二次巻線Ｎｓ４とから構成されている。
【００３２】
内側二次巻線Ｎｓ２と中間二次巻線Ｎｓ３と外側二次巻線Ｎｐ４とは、ボビン１１ｂの長手方向すなわち下端部（一端部）１４ｂと上端部（他端部）１５ｂとの間に巻回されている。各二次巻線Ｎｓ２，Ｎｓ３，Ｎｓ４は、ボビン１１ｂの下端部１４ｂから上端部１５ｂに向かってボビン本体１３ｂの外周に巻回され、ボビン１１ｂの上端部１５ｂ近傍で下方に折り返されている。これにより、各二次巻線Ｎｓ２，Ｎｓ３，Ｎｓ４の巻始めＮｓ２ａ，Ｎｓ３ａ，Ｎｓ４ａと巻終わりＮｓ２ｂ，Ｎｓ３ｂ，Ｎｓ４ｂとは、ボビン１１ｂの下端部１４ｂから外方に引き出されている。
【００３３】
ボビン１１ｂの径方向内側から径方向外側に向かって順に、内側二次巻線Ｎｓ２、内側一次巻線Ｎｐ１、中間二次巻線Ｎｓ３、外側一次巻線Ｎｐ２、外側二次巻線Ｎｓ４が巻回され、サンドイッチ巻構造を構成している。これにより、一次巻線Ｎｐ１，Ｎｐ２と二次巻線Ｎｓ２，Ｎｓ３，Ｎｓ４との間の密着面積を増やすことで、一次巻線Ｎｐ１，Ｎｐ２と二次巻線Ｎｓ２，Ｎｓ３，Ｎｓ４との結合度を向上でき、かつ銅損を少なくすることができる。
【００３４】
第２実施形態のトランス１０ｂの巻順は、まず内側二次巻線Ｎｓ２をボビン１１ｂの下端部１４ｂから上端部１５ｂに向かって巻始め、ボビン１１の上端部１５ｂ近傍で下方に折り返した後、ボビン１１ｂの下端部１４ｂで巻き終わる（図５（Ａ）参照）。更に内側一次巻線Ｎｐ１をボビン１１ｂの下端部１４ｂから上端部１５ｂに向かって巻始め、ボビン１１ｂの上端部１５ｂで巻き終わる（図５（Ｂ）参照）。次に、中間二次巻線Ｎｓ３をボビン１１ｂの下端部１４ｂから上端部１５ｂに向かって巻始め、ボビン１１ｂの上端部１５ｂ近傍で下方に折り返した後、ボビン１１ｂの下端部１４ｂで巻き終わる（図５（Ｃ）参照）。この後、外側一次巻線Ｎｐ２をボビン１１ｂの下端部１４ｂから上端部１５ｂに向かって巻始め、ボビン１１ｂの上端部１５ｂで巻き終わる（図５（Ｄ）参照）。最後に、外側二次巻線Ｎｓ４をボビン１１ｂの下端部１４ｂから上端部１５ｂに向かって巻始め、ボビン１１ｂの上端部１５ｂ近傍で下方に折り返した後、ボビン１１ｂの下端部１４ｂで巻き終わる（図５（Ｅ）参照）。各巻線のボビン１１ｂへの巻回が終わった後、ボビン１１ｂの上端部１５ｂから引き出された内側一次巻線Ｎｐ１の巻終わりＮｐ１ｂと外側一次巻線Ｎｐ２の巻始めＮｐ２ｂとを半田付けして接続する。この接続部１６ｂにチューブ１７ｂを被覆して折り返し、外側二次巻線Ｎｓ４の外側に配置する。
【００３５】
＜第３実施形態＞
次に、図６を参照して第３実施形態に係るトランス１０ｃの巻線構造について説明する。なお、第１実施形態と同様の構成には同じ符号を付してその説明を適宜省略する。
【００３６】
第１実施形態の一次巻線は、内側一次巻線Ｎｐ１と外側一次巻線Ｎｐ２の２本の巻線から構成された。これに対し第３実施形態の一次巻線は、ボビン１１ｃの下端部（一端部）１４ｃと上端部（他端部）１５ｃとの間に巻回された４本の一次巻線Ｎｐ３〜Ｎｐ６から構成されている。
【００３７】
４本の一次巻線Ｎｐ３〜Ｎｐ６のうち、内側上巻き一次巻線（内側第１巻線）Ｎｐ３と、内側上巻き一次巻線Ｎｐ３より径方向外方に巻回された外側上巻き一次巻線（内側第３巻線）Ｎｐ４とは、ボビン１１ｃの下端部１４ｃから上端部１５ｃに向かってボビン本体１３ｃの外周に巻回されている。これにより、内側上巻き一次巻線Ｎｐ３の巻始め（一端部）Ｎｐ３ａと外側上巻き一次巻線Ｎｐ４の巻始め（一端部）Ｎｐ４ａはボビン１１ｃの下端部１４ｃから外方に引き出され、内側上巻き一次巻線Ｎｐ３の巻終わり（他端部）Ｎｐ３ｂと外側上巻き一次巻線Ｎｐ４の巻終わり（他端部）Ｎｐ４ｂはボビン１１ｃの上端部１５ｃから外方に引き出されている。
【００３８】
４つの一次巻線Ｎｐ３〜Ｎｐ６のうち、内側下巻き一次巻線（外側第１巻線）Ｎｐ５と、内側下巻き一次巻線Ｎｐ５より径方向外方に巻回された外側下巻き一次巻線（外側第３巻線）Ｎｐ６とは、ボビン１１ｃの上端部１５ｃから下端部１４ｃに向かってボビン本体１３ｃの外周に巻回されている。これにより、内側下巻き一次巻線Ｎｐ５の巻始め（他端部）Ｎｐ５ｂと外側下巻き一次巻線Ｎｐ６の巻始め（他端部）Ｎｐ６ｂはボビン１１ｃの上端部１５ｃから外方に引き出され、内側下巻き一次巻線Ｎｐ５の巻終わり（一端部）Ｎｐ５ａと外側下巻き一次巻線Ｎｐ６の巻終わり（一端部）Ｎｐ６ａはボビン１１ｃの下端部１４ｃから外方に引き出されている。
【００３９】
そして、内側上巻き一次巻線Ｎｐ３の巻終わりＮｐ３ｂと内側下巻き一次巻線Ｎｐ５の巻始めＮｐ５ｂ、および、外側上巻き一次巻線Ｎｐ４の巻終わりＮｐ４ｂと外側下巻き一次巻線Ｎｐ６の巻始めＮｐ６ｂは、半田付けによってまとめて接続されている。この接続部１６ｃは樹脂製のチューブ１７ｃに被覆され、外側下巻き一次巻線Ｎｐ６の外側に折り返されて配置されている。
【００４０】
二次巻線Ｎｓ５〜Ｎｓ９は、ボビン１１ｃの下端部１４ｃから上端部１５ｃに向かってボビン本体１３ｃの外周に巻回され、ボビン１１ｃの上端部１５ｃ近傍で下方に折り返されている。これにより、二次巻線Ｎｓ５〜Ｎｓ９の巻始めＮｓ５ａ〜Ｎｓ９ａと巻終わりＮｓ５ｂ〜Ｎｓ９ｂとは、ボビン１１ｃの下端部１４ｃから外方に引き出されている。
【００４１】
二次巻線Ｎｓ５は、内側上向き一次巻線Ｎｐ３より径方向内側でボビン本体１３ｃの外周に巻回されている。二次巻線Ｎｓ６は、内側上巻き一次巻線Ｎｐ３と外側上巻き一次巻線Ｎｐ４の間でボビン本体１３ｃの外周に巻回されている。二次巻線Ｎｓ７は、外側上巻き一次巻線Ｎｐ４と内側下巻き一次巻線Ｎｐ５の間でボビン本体１３ｃの外周に巻回されている。二次巻線Ｎｓ８は、内側下巻き一次巻線Ｎｐ５と外側下巻き一次巻線Ｎｐ６の間でボビン本体１３ｃの外周に巻回されている。二次巻線Ｎｓ９は、外側下巻き一次巻線Ｎｐ６より径方向外側でボビン本体１３ｃの外周に巻回されている。以上のように、ボビン１１ｃの径方向内側から径方向外側に向かって順に巻回された内側上巻き一次巻線Ｎｐ３と外側上巻き一次巻線Ｎｐ４の間、外側上巻き一次巻線Ｎｐ４と内側下巻き一次巻線Ｎｐ５の間、内側下巻き一次巻線Ｎｐ５と外側下巻き一次巻線Ｎｐ６の間それぞれに、二次巻線が巻回されている。これにより、サンドイッチ巻構造を維持したまま、各一次巻線の巻始めと巻終りとが近付いて密着しないようにして寄生容量の発生を抑え、待機軽負荷時の効率が低下するのを防止することができる。
【００４２】
＜第４実施形態＞
次に、第４実施形態に係るトランス１０ｄの巻線構造について説明する。図７は第４実施形態に係る巻線構造を示す概略断面図である。なお、第１実施形態と同様の構成には同じ符号を付してその説明を適宜省略する。
【００４３】
内側一次巻線Ｎｐ１と外側一次巻線Ｎｐ２の巻線構造は、第１実施形態と同様であるので説明を省略する。第１実施形態の二次巻線Ｎｓ１は、ボビン１１ａの下端部１４ａから上端部１５ａに向かってボビン本体１３ａの外周に巻回され、ボビン１１ａの上端部１５ａ近傍で下方に折り返された。これに対し第４実施形態の二次巻線Ｎｓ１０は、ボビン１１ｄの上端部１５ｄ近傍で下方に折り返されることなく、ボビン１１ｄの下端部１４ｄから上端部１５ｄに向かってボビン本体１３ｄの外周に巻回されている。これにより、二次巻線Ｎｓ１０の巻始め（一端部）Ｎｓ１０ａはボビン１１ｄの下端部１４ｄから外方に引き出され、二次巻線Ｎｓ１０の巻終わり（他端部）Ｎｓ１０ｂはボビン１１ｄの上端部１５ｄから外方に引き出されている。したがって、一次巻線Ｎｐ１に加えて二次巻線Ｎｓ１０の巻始めＮｓ１０ａと巻終りＮｓ１０ｂとが近付いて密着しないようにし、より一層、寄生容量の発生を抑えることができる。
【００４４】
＜第５実施形態＞
次に、第５実施形態に係るトランス１０ｅの巻線構造について説明する。図８は第５実施形態に係る巻線構造を示す概略断面図である。なお、第１実施形態と同様の構成には同じ符号を付してその説明を適宜省略する。
【００４５】
内側一次巻線Ｎｐ１と外側一次巻線Ｎｐ２の巻線構造は、第１実施形態と同様であるので説明を省略する。第１実施形態の二次巻線Ｎｓ１は、１本の巻線から構成された。これに対し第５実施形態の二次巻線は、内側二次巻線（内側第２巻線）Ｎｓ１１と外側二次巻線（外側第２巻線）Ｎｓ１２の２本の巻線から構成されている。内側二次巻線Ｎｓ１１と外側二次巻線Ｎｓ１２とは、ボビン１１の長手方向すなわち下端部（一端部）１４ｅと上端部（他端部）１５ｅとの間に巻回されている。
【００４６】
内側二次巻線Ｎｓ１１は、ボビン１１ｅの下端部１４ｅから上端部１５ｅに向かってボビン本体１３ｅの外周に巻回されている。これにより、内側二次巻線Ｎｓ１１の巻始め（一端部）Ｎｓ１１ａはボビン１１ｅの下端部１４ｅから外方に引き出され、内側二次巻線Ｎｓ１１の巻終わり（他端部）Ｎｓ１１ｂはボビン１１ｅの上端部１５ｅから外方に引き出されている。内側二次巻線Ｎｓ１１は、内側一次巻線Ｎｐ１よりボビン１１ｅの径方向内側に巻回されている。すなわち内側二次巻線Ｎｓ１１は、トランス１０ｅの巻線構造の中で最もボビン１１ｅの径方向内側に巻回されている。
【００４７】
外側二次巻線Ｎｓ１２は、ボビン１１ｅの上端部１５ｅから下端部１４ｅに向かってボビン本体１３ｅの外周に巻回されている。これにより、外側二次巻線Ｎｓ１２の巻始め（他端部）Ｎｓ１２ｂはボビン１１ｅの上端部１５ｅから外方に引き出され、外側二次巻線Ｎｓ１２の巻終わり（一端部）Ｎｓ１２ａはボビン１１ｅの下端部１４ｅから外方に引き出されている。外側二次巻線Ｎｓ１２の巻始めＮｓ１２ｂは、内側二次巻線Ｎｓ１１の巻終わりＮｓ１１ｂと半田付けによって接続されている。この接続部１６ｅは樹脂製のチューブ１７ｅに被覆され、外側一次巻線Ｎｐ２の外側に折り返されて配置されている。
【００４８】
外側二次巻線Ｎｓ１２は、内側一次巻線Ｎｐ１と外側一次巻線Ｎｐ２との間に巻回されている。これにより、ボビン１１ｅの径方向内側から径方向外側に向かって順に、内側二次巻線Ｎｓ１１、内側一次巻線Ｎｐ１、外側二次巻線Ｎｓ１２、外側一次巻線Ｎｐ２が巻回され、一次巻線Ｎｐ１，Ｎｐ２と二次巻線Ｎｓ１１，Ｎｓ１２のそれぞれがサンドイッチ巻構造を構成している。これにより、一次巻線Ｎｐ１，Ｎｐ２に加えて二次巻線Ｎｓ１１，Ｎｓ１２をサンドイッチ構造とし、かつ内側二次巻線Ｎｓ１１と外側二次巻線Ｎｓ１２のそれぞれにおいて巻始めと巻終りとが近付いて密着しないようにして寄生容量の発生を抑え、待機軽負荷時の効率が低下するのを防止することができる。
【００４９】
以上、本発明の実施形態について図面に基づいて説明したが、具体的な構成は、これらの実施形態に限定されるものではない。本発明の範囲は、上記した実施形態の説明だけではなく特許請求の範囲によって示され、さらに特許請求の範囲と均等の意味および範囲内でのすべての変更が含まれる。
【００５０】
前記実施形態では、接続部がチューブに被覆されたがこれに限定されない。接続部にチューブを被せる代わりに、巻線が巻回されたボビンの外周部に絶縁テープを巻き付ける構成を採用しても同様の効果を得ることができる。また、接続部と他の導体部との電気的接触を回避することができる場合には、絶縁部材を不要とすることもできる。
【００５１】
前記実施形態の中で、一次巻線を二次巻線とし、二次巻線を一次巻線とする構造を採用しても同様の効果を得ることができる。
【００５２】
トランスの巻線構造に関して、少なくとも一次巻線又は二次巻線のいずれか一方をサンドイッチ巻構造とする限り、一次巻線と二次巻線との巻回構造は上記実施形態に限定されない。
【００５３】
前記第１実施形態では、内側一次巻線Ｎｓ１をボビン１１ａの下端部１４ａから上端部１５ａまで巻回した後、外側一次巻線Ｎｓ２をボビン１１ａの上端部１５ａから下端部１４ａまで巻回した。しかしこれに限定されず、内側一次巻線Ｎｓ１をボビン１１ａの下端部１４ａから上端部１５ａまで巻回した後、巻線を巻き回す回転方向を逆回転に変更した上で外側一次巻線Ｎｓ２をボビン１１ａの下端部１４ａから上端部１５ａまで巻回しても良い。
【００５４】
前記実施形態では、プリント基板に対して垂直に延びる縦型のトランスに本発明の巻線構造を適用したが、これに限定されず、プリント基板に平行に延びる横型のトランスに適用しても良い。但し、プリント基板の実装スペースに制限がある場合には、縦型トランス構造を採用することにより、省スペース化を図ることできる。
【符号の説明】
【００５５】
１０ａ，１０ｂ，１０ｃ，１０ｄ，１０ｅ  トランス
１１ａ，１１ｂ，１１ｃ，１１ｄ，１１ｅ  ボビン
１４ａ，１４ｂ，１４ｃ，１４ｄ，１４ｅ  下端部
１５ａ，１５ｂ，１５ｃ，１５ｄ，１５ｅ  上端部
１６ａ，１６ｂ，１６ｃ，１６ｄ，１６ｅ  接続部
１７ａ，１７ｂ，１７ｃ，１７ｅ  チューブ（絶縁部材）
Ｎｐ１  内側一次巻線（内側第１巻線）
Ｎｐ１ａ  巻始め（一端部）
Ｎｐ１ｂ  巻終わり（他端部）
Ｎｐ２  外側一次巻線（外側第１巻線）
Ｎｐ２ａ  巻終わり（一端部）
Ｎｐ２ｂ  巻始め（他端部）
Ｎｐ４  外側上巻き一次巻線（内側第３巻線）
Ｎｐ６  外側下巻き一次巻線（外側第３巻線）
Ｎｓ１    二次巻線（第２巻線）
Ｎｓ１０  二次巻線（第２巻線）
Ｎｓ１０ａ  巻始め（一端部）
Ｎｓ１０ｂ  巻終わり（他端部）
Ｎｓ１１  内側二次巻線（内側第２巻線）
Ｎｓ１１ａ  巻始め（一端部）
Ｎｓ１１ｂ  巻終わり（他端部）
Ｎｓ１２  外側二次巻線（外側第２巻線）
Ｎｓ１２ａ  巻終わり（一端部）
Ｎｓ１２ｂ  巻始め（他端部）
【図１】
2019175979.tif 000003
【図２】
2019175979.tif 000004
【図３】
2019175979.tif 000005
【図４】
2019175979.tif 000006
【図５】
2019175979.tif 000007
【図６】
2019175979.tif 000008
【図７】
2019175979.tif 000009
【図８】
2019175979.tif 000010
【図９】
2019175979.tif 000011
【図１０】
2019175979.tif 000012
【図１１】
2019175979.tif 000013